(57)【特許請求の範囲】
【請求項１】
オフセット印刷用ブランケット（Ｂ）をリバーシブルにする外側の二つのリソグラフ印刷層（２、３）の間に挟まれた少なくとも一つの圧縮可能材料層を有するオフセット印刷用ブランケットであって、
二つの圧縮可能材料層（１ａ、１ｂ）を有し、それら二つの圧縮可能材料層が両方とも等方性または異方性であるか、あるいは一方が等方性で他方が異方性であることを特徴とするオフセット印刷用ブランケット。
【請求項２】
二つの前記圧縮可能材料層（１ａ、１ｂ）の間に単一の補強層（４）が置かれていることを特徴とする請求項１に記載のオフセット印刷用ブランケット。
【請求項３】
二つの前記圧縮可能材料層（１ａ、１ｂ）と二つの前記リソグラフ印刷層（２、３）の一方（２）との間に印刷用紙の流量制御用の少なくとも一つの層（７）が置かれていることを特徴とする請求項１に記載のオフセット印刷用ブランケット。
【請求項４】
前記圧縮可能材料層の一方（１ａ）とそれに繋合する前記リソグラフ印刷層（２）との間に印刷用紙の流量制御用の第一の層（５）が置かれ、前記圧縮可能材料層の他方（１ｂ）とそれに繋合する前記リソグラフ印刷層（３）との間に印刷用紙の流量制御用の第二の層（６）が置かれていることを特徴とする請求項１に記載のオフセット印刷用ブランケット。
【請求項５】
前記圧縮可能材料層（１ａ、１ｂ）が、０．２から５０ＭＰａの間のヤング弾性率を有する等方性材料層であるか、または前記オフセット印刷用ブランケット（Ｂ）の平面に平行な方向（ｘ）のおいては２０から１０００ＭＰａの間で、前記オフセット印刷用ブランケット（Ｂ）の平面に垂直な方向（ｙ）においては０．２から５０ＭＰａの間のヤング弾性率を有する異方性材料層であることを特徴とする請求項１に記載のオフセット印刷用ブランケット。
【請求項６】
前記圧縮可能材料層（１ａ、１ｂ）が等方性材料層である場合には、ヤング弾性率が、１．５から１５ＭＰａの間であり、前記圧縮可能材料層（１ａ、１ｂ）が異方性材料層である場合には、ヤング弾性率が、前記オフセット印刷用ブランケット（Ｂ）の平面に平行な方向（ｘ）においては２００から５００ＭＰａの間で、前記オフセット印刷用ブランケット（Ｂ）の平面に垂直な方向（ｙ）においては１．５から１５ＭＰａの間であることを特徴とする請求項５に記載のオフセット印刷用ブランケット。
【請求項７】
二つの前記圧縮可能材料層（１ａ、１ｂ）の少なくとも一方が、０．２から５０ＭＰａの間のヤング弾性率を有する等方性圧縮可能材料でできているか、または前記オフセット印刷用ブランケット（Ｂ）の平面に平行な方向（ｘ）においては２０から１０００ＭＰａの間で、前記オフセット印刷用ブランケット（Ｂ）の平面に垂直な方向（ｙ）においては０．２から５０ＭＰａの間の弾性率を有する異方性圧縮可能材料でできていることを特徴とする請求項１から４のいずれか１項に記載のオフセット印刷用ブランケット。
【請求項８】
等方性圧縮可能材料による一つまたは二つの前記圧縮可能材料層（１ａ、１ｂ）については、ヤング弾性率が、１，５から１５ＭＰａの間であり、異方性圧縮可能材料による一つまたは二つの前記圧縮可能材料層（１ａ、１ｂ）については、ヤング弾性率が、前記オフセット印刷用ブランケット（Ｂ）の平面に平行な方向（ｘ）においては２００から５００ＭＰａの間で、前記オフセット印刷用ブランケット（Ｂ）の平面に垂直な方向（ｙ）においては１．５から１５ＭＰａの間であることを特徴とする請求項７に記載のオフセット印刷用ブランケット。
【請求項９】
二つの前記圧縮可能材料層（１ａ、１ｂ）の厚さが０．２から０．８ｍｍの間であることを特徴とする請求項１から８のいずれか１項に記載のオフセット印刷用ブランケット。
【請求項１０】
二つの前記リソグラフ印刷層（２、３）が、１．５から５０ＭＰａの間で等しいまたは異なるヤング弾性率を有し、０．０５から０．４ｍｍの間で等しいあるいは異なる厚さを有することを特徴とする請求項１、３または４に記載のオフセット印刷用ブランケット。
【請求項１１】
前記単一の補強層（４）が、前記オフセット印刷用ブランケット（Ｂ）の平面に平行な方向（ｘ）においては５００から１００００ＭＰａの間のヤング弾性率を有し、０．０５から０．８ｍｍの間の厚さを有することを特徴とする請求項２に記載のオフセット印刷用ブランケット。
【請求項１２】
前記単一の補強層（４）が織物格子あるいは単層または多層型プラスチックポリマのフィルムによって構成されることを特徴とする請求項１１に記載のオフセット印刷用ブランケット。
【請求項１３】
前記印刷用紙の流量制御用の一つまたは複数の層（５、６、７）が、前記オフセット印刷用ブランケット（Ｂ）の平面に平行な方向（ｘ）においては２００から１０００ＭＰａの間のヤング弾性率を有し、０．０５から０．４ｍｍの間の厚さを有することを特徴とする請求項３または４に記載のオフセット印刷用ブランケット。
【請求項１４】
前記印刷用紙の流量制御用の一つまたは複数の層（５、６、７）が、繊維によって補強されたエラストマによって構成されることを特徴とする請求項３または４に記載のオフセット印刷用ブランケット。
【請求項１５】
圧縮可能材料による一つまたは二つの前記圧縮可能材料層（１ａ、１ｂ）が異方性である場合には、前記オフセット印刷用ブランケット（Ｂ）の平面に平行な方向（ｘ）に沿った向きの繊維を含む多孔質ゴムでできていることを特徴とする請求項１から９のいずれか１項に記載のオフセット印刷用ブランケット。
【発明の詳細な説明】
本発明は、主に、オフセット印刷機で使用される印刷用リバーシブルブランケットを対象としている。
以前から、たとえば紙のような何らかの媒体上に印刷することができるリソグラフ印刷層が連結されたたとえば多孔質ゴムのような圧縮可能材料でできた層を主に有するさまざまなタイプの構造のブランケットが知られている。
これらの構造は、いくつかの欠点を有している。たとえば、衝撃強さの損失によるたわみ、オフセット印刷法のバランスを不安定にする恐れがある印刷工程時のブランケットの過熱、オフセット輪転機への紙の流量制御の問題、さらに高速輪転機の振動の問題を挙げることができる。
さらに、現在使用されているブランケットはあまりに専門化されているので、非常に厳密な場合においてしか最良の品質条件で使うことができず、したがって、ほとんどの場合、行われる印刷のタイプや形態と同じ数だけブランケットの構造を使用することが必要になる。
本発明は、構造の対称性が、特にたわみ、過熱、紙の流量制御、振動といった上記の問題を軽減すること、さらにはなくすことができる印刷用リバーシブルブランケットを提案することによって上記の不都合を解消することを目的とする。
このため、本発明は圧縮可能な材料による少なくとも一つの圧縮可能材料層により特徴付けられるオフセット印刷用ブランケットであって、該圧縮可能な材料による少なくとも一つの圧縮可能材料層が前記ブランケットをリバーシブルにする外側の二つのリソグラフ印刷層の間に挟まれていることを特徴とするブランケットを対象とする。
本発明の他の特性によれば、このブランケットは、二つの圧縮可能材料層を備え、これら二つの圧縮可能材料層は、両方を等方性もしくは異方性にするか、あるいは、一方を等方性にして、他方を異方性にすることもできる。
従って、このようなリバーシブルブランケットは、一方の面または他方の面によってブランケット印刷作業を行ない、それによって特定の異なる二つの印刷作業を行うことができるようになる。こうした二つの別々の作業は、各々、紙のような何らかの媒体における高品質印刷を可能にする。この方法は、従来一つの印刷作業または他の作業を行うために、必ずしも十分でないどころか、多くの場合まったく不十分な結果を招く構造的特性の妥協点とともに唯一つのブランケットを使用するという従来の方法よりは良い結果を得られるだろう。
本発明の他の特性によれば、ブランケットの二つの圧縮可能材料層の間に、単一の補強層が置かれる。
このブランケットは更に、圧縮可能材料層と二つのリソグラフ印刷層の一方の層との間に置かれた印刷用紙の流量制御用の一つの層を備えることができる。
本発明によるブランケットはまた、圧縮可能材料層の一方とそれに連結されたリソグラフ印刷層との間に置かれた印刷用紙の流量制御用の一つの層によって、また他方の圧縮可能材料層とそれに連結されたリソグラフ印刷層との間に置かれた印刷用紙の流量制御用の第二の層によって特徴付けられる。
このブランケットはまた、単一の圧縮可能材料層の場合には、この層が、０．２から５０ＭＰａの間のヤング弾性率を有する等方性材料の層であること、あるいは、ブランケットの平面に平行な方向においては２０から１０００ＭＰａの間で、前記ブランケットの平面に垂直な方向においては０．２から５０ＭＰａの間のヤング弾性率を有する異方性材料の層であることを特徴とする。
好ましくは、ヤング弾性率は、等方性材料の層の場合には１．５から１５ＭＰａの間であり、異方性材料の層の場合には、ブランケットの平面に平行な方向においては２００から５００ＭＰａの間であり、ブランケットの平面に垂直な方向においては１．５から１５ＭＰａの間である。
本発明によるブランケットはまた、等方性圧縮可能材料による二つの層の少なくとも一方が０．２から５０ＭＰａの間のヤング弾性率を有するか、あるいは、異方性圧縮可能材料による二つの層の少なくとも一方は、ブランケットの平面に平行な方向においては２０から１０００ＭＰａの間の、前記ブランケットの平面に垂直な方向においては０．２から５０ＭＰａの間のヤング弾性率を有することを特徴とする。
好ましくは、ヤング弾性率は、等方性圧縮可能材料による一つまたは二つの層については１．５から１５ＭＰａであり、異方性材料による一つまたは二つの層については、ブランケットの平面に平行な方向においては２００から５００ＭＰａの間で、この平面に垂直な方向においては１．５から１５ＭＰａの間である。
ここでさらに、一つまたは複数の圧縮可能材料層の厚さはおよそ０．２から０．８ｍｍの間であることと明示する。
二つのリソグラフ印刷層は、およそ１．５から５０ＭＰａの間の等しいまたは異なるヤング弾性率を有し、一方、それらの層の厚さは、およそ０．０５から０．４ｍｍの間で等しいか、あるいは異なっている。
上記の単一補強層については、ブランケットの平面に平行な方向においては５００から１００００ＭＰａの間のヤング弾性率を有し、一方、その厚さはおよそ０．０５から０．８ｍｍの間である。
ここでさらに、上記の単一補強層は、繊維格子によって、あるいは単層または多層型プラスチックポリマのフィルムによって構成されることを明示する。
本発明のブランケットはまた、印刷用紙の流量制御用の一つまたは複数の層が、ブランケットの平面に平行な方向においては、およそ２００から１０００ＭＰａの間のヤング弾性率を有し、一方、それらの層の厚さは、およそ０．０５から０．４ｍｍの間であることを特徴とする。
このブランケットはまた、印刷用紙の流量制御用の一つまたは複数の層が、繊維によって補強されたエラストマで構成されることを特徴とする。
圧縮可能材料による一つまたは複数の圧縮可能材料層は、異方性層の場合には、好ましくはブランケットの平面に平行な方向に沿った向きの繊維を含む多孔質ゴムでできている。
しかし、本発明の他の特性及び利点は、単に例示的に与えられた添付図面を参照し、以下に詳細に説明することにより、明らかとなるだろう。
第１図は、本発明の原理に合致したブランケットの部分的横断面図である。
第２図は、本発明によるブランケットの他の実施形態の部分的断面図である。
第３図は、先の図と類似しているが、本発明によるブランケットの他の変形形態を示す図である。
第４図はまた、先の図と類似しているが、本発明に合致したブランケットの他の実施形態を示す図である。
第５図は、弾性の二つの主要方向、すなわち、ブランケットの平面にほぼ平行な方向と、この平面にほぼ垂直な方向を示すために平らに広げられたブランケットの透視概略図である。
第１図に示された実施形態によれば、本発明の原理に合致したブランケットＢは、たとえば、外側の二つのリソグラフ印刷層２及び３の間に挟まれた、たとえば多孔質ゴムでできた圧縮可能材料層１を有することがわかる。
こうして、たとえばオフセット印刷用胴部（ここには図示されていない）を覆うためのブランケットＢは、リバーシブルである、すなわち、それぞれリソグラフ印刷層２及びリソグラフ印刷層３によって構成される二つの面のどちらかによって、たとえば紙のような媒体（ここには図示されていない）上に印刷を行なうことができる。つまり、Ｂのような同一のブランケットによって、当然のことながら、層１、２、３について採用された性質、弾性率及び厚さに左右される異なる条件において、印刷を行うための異なる伝達特性を有する二つの表面を使用することができる。いいかえれば、たとえば、この同一のブランケットＢを使用して、光沢紙や吸取り紙を印刷することもできる。
圧縮可能材料層１は、等方性または異方性材料でつくることが可能である。等方性材料とは、同一の機能、すなわち、ｘ、ｙ、ｚの三本の幾何学軸において同一の弾性率を有する材料を意味する。こうして、この場合には、層１は、多孔質ゴム、すなわち、１１で示されているように、適切な数及び分布とともに多数の空隙を有するゴムでできた単一層で構成するができる。
反対に、異方性圧縮可能材料とは、弾性率が、三本の軸ｘ、ｙ、ｚにおいて異なる材料を意味する。こうして、圧縮可能材料層１は、この場合、第５図に明確に示されているように、好ましくはブランケットＢの平面に平行な方向ｘに沿った向きの繊維（ここには図示されていない）を含む多孔質ゴムで構成することができる。
圧縮可能材料層１が等方性である場合には、この層は、およそ０．２から５０ＭＰａの間で、好ましくは、１．５から１５ＭＰａの間のヤング弾性率を有する。
圧縮可能材料層１が異方性である場合には、この層は、ブランケットＢの平面に平行な方向ｘにおいては、２０から１０００ＭＰａの間で、好ましくは２００から５００ＭＰａの間のヤング弾性率を有し、ブランケットＢの平面に垂直な方向ｙ（第５図参照）においては０．２から５０ＭＰａの間で、好ましくは１．５から１５ＭＰａの間のヤング弾性率を有する。
等方性または異方性の圧縮可能材料でできた圧縮可能材料層１の厚さは、およそ０．２から０．８ｍｍとなる。
二つのリソグラフ印刷層２及び３は、等しいまたは異なるヤング弾性率を有する。この弾性率は、およそ１．５から５０ＭＰａの間となる。
リソグラフ印刷層２及び３の厚さは等しくすることもでき、また、第１図に見られるように層２の厚さが層３の厚さより厚く異なっていてもよい。先に説明したように、この結果、ブランケットＢには、たとえば印刷される媒体の性質に応じて異なる印刷の品質が与えられる。リソグラフ印刷層２及び３の厚さは、およそ０．０５から０．４ｍｍの間とすることができる。
第２図に示された実施形態においては、圧縮可能材料でできた層は、二つの別々の圧縮可能材料層１ａ及び１ｂで構成され、それらの層の間に４で示された単一補強層が置かれることがわかる。
二つの圧縮可能材料層１ａ及び１ｂは、両方とも等方性または異方性であるか、あるいはまた、一方の層が等方性材料で、他方の層が異方性材料でできている。これら二つの圧縮可能材料層１ａ及び１ｂのヤング弾性率は、等方性または異方性の圧縮可能材料でできた唯一の圧縮可能材料層１を有する第１図の実施形態に関して上記に示した値の幅の中にある。したがって、ここではそれらの値を繰り返し記さない。
さらに、リソグラフ印刷層２及び３は、第１図に関して説明したように等しいまたは異なる厚さを有し、この厚さは、先述したようにおよそ０．０５から０．４ｍｍの間である。
同様に、圧縮可能材料層１ａ及び１ｂの厚さは、第１図に見られる実施形態の圧縮可能材料層１の場合のように、およそ０．２から０．８ｍｍの間となる。
圧縮可能材料層１ａ及び１ｂの間に置かれた単一補強層４は、ブランケットＢの平面に平行な方向ｘ（第５図参照）において、およそ５００から１０，０００ＭＰａの間のヤング弾性率を有する。この補強層４は、繊維格子によって、あるいは、単層または多層のポリエステルまたはポリカーボネートのフィルムのようなプラスチックポリマのフィルムにより構成することができる。その厚さは、およそ０．０５から０．８ｍｍの間となる。
このような単一補強層４は、有利にも、ブランケットの厚さを薄くすること、ならびに、二方向にブランケットを裁断することを可能にし、その結果、巻き付けられたブランケットの分配効率を最大化することができる。というのも、ブランケットは、オフセット印刷機のサイズに、すなわち様々な、変わりやすいばらつきのあるサイズに切断されるためのローラ形の分配器に供給されるからである。
第３図に見られるブランケットの変形形態においては、前記ブランケットは第２図のブランケットに類似しているが、さらにこのブランケットは、圧縮可能材料層１ａとリソグラフ印刷層２との間に置かれた印刷用紙（ここには図示されていない）の流量制御用の第一の層５を有し、一方印刷用紙の流量制御用の第二の層６は、他方の圧縮可能材料層１ｂと他方のリソグラフ印刷層３の間に置かれるという点が付け加えられる。
紙の流量制御用のこれら二つの層５及び６は、ブランケットＢに平行な方向ｘにおいて、およそ２００から１０００ＭＰａの間のヤング弾性率を有する。
これら二つの層の厚さは、およそ０．０５から０．４ｍｍの間とすることができる。さらに、これら二つの層５及び６は、繊維によって補強された適切なエラストマで構成することができる点を明示する。
層５及び６によって、印刷用紙の流量制御は、ブランケットＢがリバーシブルであること、または裏返すことが可能であることから改善される。その結果、印刷機の一定かつ任意の回転速度について、印刷の出口における紙の流量の直線的速度を調整することができる。
単一の補強層４の一方側だけに唯一つの層５または６のような紙の流量制御用層の配置は、本発明の範囲を逸脱することなく、第３図の実施形態において完全に予想することができることである。
次に、第４図に見られるブランケットＢの変形形態を参照すると、この変形形態は第１図の実施形態に類似しているが、さらに印刷用紙の流量制御用の層７が、単一の圧縮可能材料層１と、相対する二つのリソグラフ印刷層２及び３のうちの一方の２との間に置かれるという点が付け加えられる。
この層７は、弾性率に関しても、厚さや構成に関しても、第３図の実施形態を参照して上記に定義されたのと同様である。
第１図の実施形態の説明の中で与えられた、等方性または異方性の圧縮可能材料層１の弾性率と厚さに関するそれぞれの幅は、同じタイプの層については第２図、第３図、第４図の実施形態にも適用される。第２図及び第３図の実施形態については、二つの圧縮可能材料層１ａ及び１ｂは、先に説明したように等しくすることも異ならせることも可能であることはいうまでもない。
同様に、紙の流量制御用の層５、６、７は、場合によっては繊維または織物層によって補強される任意のポリマ材料でできていることが認められる。
さらに第２図または第３図の実施形態図を参照すると、圧縮可能材料層１ａ及び１ｂの圧縮率さらに、場合によってはそれらの厚さ及び／またはリソグラフ印刷層２及び３の厚さを変化させることによって、唯一つの同じブランケットＢによって、有利にもリソグラフ印刷層について異なる表面特性、従って紙や他の材質でできた異なる媒体に印刷するのにそれぞれ適した、表面特性が得られる。
従って、本発明によって異なる媒体上に高品質の印刷を行なうことができる二つの作業表面をもつリバーシブルブランケットがつくりだされた。このような印刷は、唯一つのリソグラフ印刷層しかもたない従来の技術によるブランケットによっては不可能であった。
さらに、このようなブランケットは、いわば、相対する二つのリソグラフ印刷層の存在の結果生じるその対称性によって、有利にも、衝撃強さの損失によるたわみの問題や、オフセット印刷プロセスを混乱させる恐れのある印刷機の過熱の問題、さらに輪転機における紙の流量制御や振動の問題を解決する。
最後に、本発明によるブランケットは、異なる媒体上で同一の印刷品質で印刷することができるように、唯一つの層しかもたない一枚のブランケットの中に求めることができた特性の妥協点は、異なる媒体上で望まれる印刷の晶質を得るために十分とはいえないことをもう一度思い起こすと、本発明によるブランケットは、有利にも、印刷業者に、異なる印刷のためにまたは異なる媒体への印刷のために複数のブランケットのコストを負担させるのを防ぐことができる。
もちろん、本発明は単に例示的なものとして示された実施形態の説明や図面に限定されるわけではない。
たとえば、以上に説明し、図示されたさまざまなブランケットの層の集合は、たとえば接着結合補足層のように、ここには図示されていない何らかの適切な手段によって互いに接着される。
したがって、本発明は、以下の特許請求範囲を逸脱しない限り、説明した手段と同等のあらゆる技術ならびそれらの組合わせを含むものである。
【図１】
0004070149.tif 000002
【図２】
0004070149.tif 000003
【図３】
0004070149.tif 000004
【図４】
0004070149.tif 000005
【図５】
0004070149.tif 000006